(57)【要約】【課題】ハレーションの抑制を図る。【解決手段】照明器具１は、ＬＥＤモジュール３と、ＬＥＤモジュール３の前方に配置され、ＬＥＤモジュール３から放射される光に対して透過性を有する光学フィルタ４とを備える。照明器具１は、光学フィルタ４の前方に配置される光学部材７と、ＬＥＤモジュール３、光学フィルタ４及び光学部材７を収容する器具本体２とを備える。光学部材７は、板状に形成され、光学フィルタ４を透過した光が通過する開口部７１を有する本体７０と、本体７０における開口部７１の縁に形成された複数の突起７２とを有する。【選択図】        図２
2020194680.tif 000002
【特許請求の範囲】
【請求項１】
光源と、
前記光源の前方に配置され、前記光源から放射される光に対して透過性を有する光学フィルタと、
前記光学フィルタの前方に配置される光学部材と、
前記光源、前記光学フィルタ及び前記光学部材を収容する器具本体と、
を備え、
前記光学部材は、
板状に形成され、前記光学フィルタを透過した前記光が通過する開口部を有する本体と、
前記本体における前記開口部の縁に形成された複数の突起と、
を有する、
照明器具。
【請求項２】
前記複数の突起はそれぞれ、前記開口部の縁から前記開口部の中央に向かって突出している、
請求項１記載の照明器具。
【請求項３】
前記複数の突起はそれぞれ三角形状に形成されている、
請求項２記載の照明器具。
【請求項４】
前記複数の突起はそれぞれ台形状に形成されている、
請求項２記載の照明器具。
【請求項５】
前記開口部の縁は円形であり、
前記複数の突起はそれぞれ、前記縁の周方向に沿って等間隔に隙間なく並ぶように形成されている、
請求項１〜４のいずれか１項に記載の照明器具。
【請求項６】
請求項１〜５のいずれかの照明器具に用いられる光学部材であって、
開口部を有して板状に形成された本体と、
前記本体における前記開口部の縁に形成された複数の突起と、
を有する、
光学部材。
【発明の詳細な説明】
【技術分野】
【０００１】
本開示は、照明器具及び光学部材に関し、より詳細には、光学部材を有する照明器具、及び当該光学部材に関する。
【背景技術】
【０００２】
従来例として、特許文献１記載の投光装置（照明器具）を例示する。特許文献１記載の投光装置（以下、従来例という。）は、スタジオ照明又は舞台照明などに用いられる。従来例は、灯体の中心線である光軸上に、灯体の一端にランプ部が設けられるとともに、ランプ部を囲んで反射板が設けられている。また、灯体の他端には、光軸上に２枚のレンズからなるレンズ部が設けられている。さらにレンズ部とランプ部との間の光軸上には、レンズ部の焦点位置において絞り機構が取り付けられている。またレンズの外側の面に沿って調光絞りが設けられている。
【０００３】
従来例は、絞り機構により視野絞りを最小限まで小さく絞ることができ、調光絞りにより明るさの調整を行うことができる。
【先行技術文献】
【特許文献】
【０００４】
【特許文献１】特開平７−４３７８６号公報
【発明の概要】
【発明が解決しようとする課題】
【０００５】
ところで、従来例において、レンズ部と絞り機構の間に光学フィルタが配置された場合、光源から放射された光のうちで光学フィルタのエッジ部分で反射された光がハレーションを生じさせるおそれがある。
【０００６】
本開示の目的は、ハレーションの抑制を図ることができる照明器具及び光学部材を提供することである。
【課題を解決するための手段】
【０００７】
本開示の一態様に係る照明器具は、光源と、前記光源の前方に配置され、前記光源から放射される光に対して透過性を有する光学フィルタとを備える。前記照明器具は、前記光学フィルタの前方に配置される光学部材と、前記光源、前記光学フィルタ及び前記光学部材を収容する器具本体とを備える。前記光学部材は、板状に形成され、前記光学フィルタを透過した前記光が通過する開口部を有する本体と、前記本体における前記開口部の縁に形成された複数の突起とを有する。
【０００８】
本開示の一態様に係る光学部材は、前記照明器具に用いられる。前記光学部材は、開口部を有して板状に形成された本体と、前記本体における前記開口部の縁に形成された複数の突起とを有する。
【発明の効果】
【０００９】
本開示の照明器具及び光学部材は、ハレーションの抑制を図ることができるという効果がある。
【図面の簡単な説明】
【００１０】
【図１】図１は、本開示の実施形態に係る照明器具の斜視図である。
【図２】図２は、同上の照明器具の要部の断面斜視図である。
【図３】図３は、本開示の実施形態に係る光学部材の正面図である。
【図４】図４Ａは、同上の照明器具における光学部材がない場合の説明図である。図４Ｂは、同上の照明器具における光学部材がある場合の説明図である。
【図５】図５は、同上の光学部材の変形例１の正面図である。
【図６】図６は、同上の光学部材の変形例２の正面図である。
【図７】図７は、同上の光学部材の変形例３の正面図である。
【図８】図８は、同上の光学部材の変形例４の正面図である。
【図９】図９は、同上の光学部材の変形例５の正面図である。
【図１０】図１０は、同上の光学部材の変形例６の正面図である。
【発明を実施するための形態】
【００１１】
本開示の実施形態に係る照明器具及び光学部材について、図面を参照して詳細に説明する。ただし、下記の実施形態において説明する各図は模式的な図であり、各構成要素の大きさ及び厚さのそれぞれの比が必ずしも実際の寸法比を反映しているとは限らない。なお、以下の実施形態で説明する構成は本開示の一例にすぎない。本開示は、以下の実施形態に限定されず、本開示の効果を奏することができれば、設計等に応じて種々の変更が可能である。
【００１２】
実施形態に係る照明器具１（以下、照明器具１と略す。）は、ライティングダクトに取り付けられるスポットライトである。ただし、実施形態に係る照明器具はスポットライトに限定されず、例えば、ダウンライトなどであっても構わない。
【００１３】
照明器具１は、図１に示すように、器具本体２、電源装置１０及びアーム１１を有する。なお、以下の説明では、図１に矢印で示す方向によって照明器具１の前後、左右、上下の各方向を規定している。
【００１４】
器具本体２は、アルミニウム又はアルミニウム合金などの金属材料によって円筒形状に形成されている。器具本体２の内部において、器具本体２の前後方向の中央よりも前方の部分に収容凹部２０が設けられている（図２参照）。収容凹部２０は、器具本体２の前面（前方の底面）に開口している。収容凹部２０に光源であるＬＥＤモジュール３が収容されている（図２参照）。
【００１５】
電源装置１０は、電源回路と、ケース１００とを有する（図１参照）。電源回路は、ライティングダクトから供給される交流電力を直流電力に変換し、当該直流電力をＬＥＤモジュール３に供給してＬＥＤモジュール３を点灯させる。電源回路は、例えば、力率改善用の昇圧チョッパ回路、降圧チョッパ回路を含む定電流回路を有することが好ましい。なお、電源回路は、電源ケーブル（図示略）を介してＬＥＤモジュール３に直流電力を供給する。
【００１６】
ケース１００は、例えば、直方体形状に形成されたケース本体１０１と、ケース本体１０１の前面から前方へ突出する突部１０２とを有する（図１参照）。なお、ケース１００は、アルミニウムなどの金属材料で形成されることが好ましい。電源回路は、ケース本体１０１の内部に収容される。
【００１７】
突部１０２の上面に第１レバー１０３及びコンタクト１０４が設けられている。第１レバー１０３及びコンタクト１０４は、水平面（ケース本体１０１の上面と平行な平面）内において回転可能である。また、ケース本体１０１の上面に第２レバー１０５及び引掛部１０６が設けられている（図１参照）。第２レバー１０５及び引掛部１０６は、ケース本体１０１の上面と平行な平面内において回転可能である。電源装置１０は、コンタクト１０４を通してライティングダクトから交流電力の供給を受けることができる。また、電源装置１０は、コンタクト１０４と引掛部１０６によってライティングダクトに機械的に保持される。
【００１８】
アーム１１は、アルミニウム又はアルミニウム合金などの金属材料によって逆Ｕ字形状に形成されている（図１参照）。アーム１１は、ケース１００の突部１０２の下面に回転可能に取り付けられている。アーム１１の両端が器具本体２の周面にねじ止めされている。アーム１１は、垂直面（上下方向及び前後方向を含む平面）内において回転可能に器具本体２を支持している。
【００１９】
ＬＥＤモジュール３は、例えば、チップ・オン・ボード形のＬＥＤモジュールである。ＬＥＤモジュール３は、一つ以上の青色ＬＥＤチップと、青色ＬＥＤチップから放射される青色光を黄色光に波長変換する蛍光体と、蛍光体を含んで青色ＬＥＤチップを封止するシリコーン樹脂とを有することが好ましい。つまり、ＬＥＤモジュール３は、青色光と黄色光を混色させて白色光を放射する、照明用白色ＬＥＤである。ただし、ＬＥＤモジュール３は、パッケージ型のＬＥＤを基板に実装したＬＥＤモジュールであっても構わない。ＬＥＤモジュール３は、収容凹部２０の底面に設けられた台座２１に取り付けられている（図２参照）。
【００２０】
また、収容凹部２０には光学フィルタ４、レンズ５、バッフル６、及び本開示の実施形態に係る光学部材７が収容される（図１及び図２参照）。バッフル６は、内周面に階段状の凹凸を有したリング状に形成されている。バッフル６は、収容凹部２０の前方の端部に収容される（図１及び図２参照）。
【００２１】
レンズ５は、非球面平凸レンズである（図１及び図２参照）。レンズ５は、アクリル樹脂などの透光性を有する合成樹脂材料で形成されることが好ましい。レンズ５は、凸面をバッフル６内に収めるようにして収容凹部２０に収容される（図１及び図２参照）。
【００２２】
光学フィルタ４は、アクリル樹脂又はポリカーボネート樹脂などの透光性を有する合成樹脂材料によって円板状に形成されている。光学フィルタ４は、収容凹部２０におけるＬＥＤモジュール３とレンズ５の間に配置される（図２参照）。光学フィルタ４は、台座２１の前面から前方に突出する複数のリブ２２の先端に、光学部材７とともにねじ止めされている。
【００２３】
光学フィルタ４の片方の表面（後面）に多数の凹部が形成されている。光学フィルタ４は、ＬＥＤモジュール３から放射される光（青色光及び黄色光）を多数の凹部によって拡散させるように形成されている。したがって、光学フィルタ４は、光学フィルタ４を通過する青色光と黄色光の混ざる割合（青色光と黄色光が交差する確率）を高めることができる。つまり、照明器具１は、光学フィルタ４を備えない場合に比べて、青色光と黄色光の混ざる割合を高めて色むらの抑制を図ることができる。
【００２４】
光学部材７は、中央に円形の開口部７１を有する円板状の本体７０と、本体７０における開口部７１の縁に形成された複数の突起７２とを有する（図２及び図３参照）。本体７０と複数の突起７２は、金属製の板材又は合成樹脂材料によって一体に形成されることが好ましい。光学部材７は、光学フィルタ４の前方に配置され、光学フィルタ４とともに複数のリブ２２の先端にねじ止めされる（図２参照）。つまり、光学フィルタ４を通過した光のうち、光学部材７の開口部７１を通過する光だけがレンズ５に入射する。
【００２５】
複数の突起７２はそれぞれ、開口部７１の縁から開口部７１の中央に向かって突出している（図３参照）。また、複数の突起７２はそれぞれ三角形状に形成されていることが好ましい。例えば、複数の突起７２の一つ一つは、同一寸法の三角形状に形成されることが好ましい。さらに、複数の突起７２はそれぞれ、開口部７１の縁の周方向に沿って等間隔に隙間なく並ぶように形成されている。ここで、複数の突起７２のそれぞれの頂点を通る仮想の円の直径（以下、光学部材７の開口径Ｘ１と呼ぶ。）は、十分な光量を得るために、下記の式１を満足することが好ましい。
【００２６】
Ｘ１≧φ１＋２×Ｌ１×tan（θ／２）…（式１）
ただし、φ１、Ｌ１及びθはそれぞれ、ＬＥＤモジュール３の発光部の直径、ＬＥＤモジュール３から開口部７１までの距離、ＬＥＤモジュール３の配光角である。例えば、ＬＥＤモジュール３の発光部の直径φ１を１１．２ｍｍ、ＬＥＤモジュール３から開口部７１までの距離Ｌ１を１２ｍｍ、ＬＥＤモジュール３の配光角θを１２０°とした場合、開口径Ｘ１は、５２．８ｍｍ以上であることが好ましい。
【００２７】
ここで、ＬＥＤモジュール３から放射される光の大半は、光学フィルタ４の後面から入射して光学フィルタ４の前面から出射するが、ＬＥＤモジュール３から放射される光の一部が光学フィルタ４の周面から出射する。光学フィルタ４の前面から出射する光は、レンズ５で集光されて被照射面に円形のスポットＳＳ１を形成する（図４Ａ参照）。一方、光学フィルタ４の周面から出射した光は、光学部材７がない場合、レンズ５で集光しきれないためにハレーションが生じる。その結果、円形のスポットＳＳ１の周囲に、ハレーションによる光のリングＳＳ２が形成される（図４Ａ参照）。
【００２８】
これに対して光学フィルタ４の前方に光学部材７が配置される場合、光学フィルタ４の周面から出射する光が光学部材７の本体７０に遮られるため、ハレーションが生じにくい。しかしながら、光学部材７の本体７０に設けられた開口部７１の縁に突起７２がない場合、開口部７１を通過する光の一部が開口部７１を通過する際に回折することにより、ハレーションが生じてしまう。
【００２９】
しかしながら、開口部７１の縁に複数の突起７２が設けられていると、複数の突起７２のそれぞれの縁で回折した光が互いに干渉しやすくなる。その結果、スポットＳＳ１の周囲に形成される光のリングＳＳ２が縮小されてハレーションの抑制を図ることができる（図４Ｂ参照）。
【００３０】
また、複数の突起７２がそれぞれ開口部７１の縁から開口部７１の中央に向かって突出しているため、複数の突起７２がそれぞれ開口部７１の前方又は後方に向かって突出する場合に比べて、光を干渉しやすくしてハレーションの更なる抑制を図ることができる。
【００３１】
図５に示すように、変形例１の光学部材７において、複数の突起７２のそれぞれが二等辺三角形の形状に形成されても構わない。あるいは、図６に示すように、変形例２の光学部材７において、複数の突起７２のそれぞれが波形に形成されても構わない。ただし、本実施形態における波形とは、三角形の二辺が同じ向きに湾曲した曲線で形成された形状である。さらに、図７に示すように、変形例３の光学部材７において、複数の突起７２のそれぞれが釣鐘形に形成されても構わない。ただし、本実施形態における釣鐘形とは、三角形の二辺が互いに離れる向きに湾曲した曲線で形成された形状である。あるいは、図８に示すように、変形例４の光学部材７において、複数の突起７２のそれぞれが、三角形の二辺を互いに近付く向きに湾曲させた形状に形成されても構わない。
【００３２】
また、図９に示すように、変形例５の光学部材７において、複数の突起７２のそれぞれが台形状に形成されても構わない。あるいは、図１０に示すように、変形例６の光学部材７において、複数の突起７２のそれぞれが長方形状に形成されても構わない。
【００３３】
ここで、光の回折及び干渉によってハレーションを抑制するためには、光学部材７の複数の突起７２の間隔を狭くすることが好ましい。そのため、複数の突起７２はそれぞれ、開口部７１の縁の周方向に沿って等間隔に隙間なく並ぶように形成されていることが好ましい（図３、図５−図８参照）。また、複数の突起７２のそれぞれの先端が平たんである場合（図９及び図１０参照）に比べて、複数の突起７２のそれぞれの先端が平たんでない場合の方が、突起７２の先端における回折を抑えてハレーションの抑制を図ることができる。
【００３４】
上述のように本開示の第１の態様に係る照明器具（１）は、光源（ＬＥＤモジュール３）と、光源の前方に配置され、光源から放射される光に対して透過性を有する光学フィルタ（４）とを備える。第１の態様に係る照明器具（１）は、光学フィルタ（４）の前方に配置される光学部材（７）と、光源、光学フィルタ（４）及び光学部材（７）を収容する器具本体（２）とを備える。光学部材（７）は、板状に形成され、光学フィルタ（４）を透過した光が通過する開口部（７１）を有する本体（７０）と、本体（７０）における開口部（７１）の縁に形成された複数の突起（７２）とを有する。
【００３５】
第１の態様に係る照明器具（１）は、複数の突起（７２）のそれぞれの縁で光を回折させて互いに干渉を起こさせることにより、ハレーションの抑制を図ることができる。
【００３６】
第２の態様に係る照明器具（１）は、第１の態様との組合せにより実現され得る。第２の態様に係る照明器具（１）において、複数の突起（７２）はそれぞれ、開口部（７１）の縁から開口部（７１）の中央に向かって突出していることが好ましい。
【００３７】
第２の態様に係る照明器具（１）は、光を干渉しやすくしてハレーションの更なる抑制を図ることができる。
【００３８】
第３の態様に係る照明器具（１）は、第２の態様との組合せにより実現され得る。第３の態様に係る照明器具（１）において、複数の突起（７２）はそれぞれ三角形状に形成されていることが好ましい。
【００３９】
第３の態様に係る照明器具（１）は、複数の突起（７２）の間隔を狭めやすくしてハレーションの更なる抑制を図ることができる。
【００４０】
第４の態様に係る照明器具（１）は、第２の態様との組合せにより実現され得る。第４の態様に係る照明器具（１）において、複数の突起（７２）はそれぞれ台形状に形成されていることが好ましい。
【００４１】
第４の態様に係る照明器具（１）は、複数の突起（７２）の間隔を狭めやすくしてハレーションの更なる抑制を図ることができる。
【００４２】
第５の態様に係る照明器具（１）は、第１〜第４の態様のいずれか一つとの組合せにより実現され得る。第５の態様に係る照明器具（１）において、開口部（７１）の縁は円形であることが好ましい。複数の突起（７２）はそれぞれ、縁の周方向に沿って等間隔に隙間なく並ぶように形成されていることが好ましい。
【００４３】
第５の態様に係る照明器具（１）は、複数の突起（７２）の間隔を狭くすることによってハレーションの更なる抑制を図ることができる。
【００４４】
第６の態様に係る光学部材（７）は、第１〜第５のいずれかの態様に係る照明器具（１）に用いられる。第６の態様に係る光学部材（７）は、開口部を有して板状に形成された本体（７０）を有する。第６の態様に係る光学部材（７）は、本体（７０）における開口部（７１）の縁に形成された複数の突起（７２）を有する。
【００４５】
第６の態様に係る光学部材（７）は、複数の突起（７２）のそれぞれの縁で光を回折させて互いに干渉を起こさせることにより、ハレーションの抑制を図ることができる。
【符号の説明】
【００４６】
１  照明器具
２  器具本体
３  ＬＥＤモジュール（光源）
４  光学フィルタ
７  光学部材
７０  本体
７１  開口部
７２  突起
【図１】
2020194680.tif 000003
【図２】
2020194680.tif 000004
【図３】
2020194680.tif 000005
【図４】
2020194680.tif 000006
【図５】
2020194680.tif 000007
【図６】
2020194680.tif 000008
【図７】
2020194680.tif 000009
【図８】
2020194680.tif 000010
【図９】
2020194680.tif 000011
【図１０】
2020194680.tif 000012